(57)【要約】【課題】  情報量の多いレセプトを集計・整理・加工することにより、見やすく表示することができる画面処理システムを提供する。【解決手段】  画面処理システム（１００）は、レセプト情報に含まれる医薬品情報に基づいて使用された医薬品の名を表示する名称表示欄と、日付ごとの日付欄と、医薬品が使用された総量を示す総量欄と、日付ごとに医薬品が使用された数量を示す明細欄とを有する日計表（８０）を表示する日計表表示部（１５）と、日計表表示部によって表示された総量欄又は明細欄に対して、医薬品の数量の変更した査定を表示させる査定表示部（１７）と、を備える。【選択図】  図２
2011059983.tif 000002
【特許請求の範囲】
【請求項１】
一月分のレセプト情報の審査を行う画面処理システムであって、
前記レセプト情報に含まれる医薬品情報に基づいて、使用された医薬品の名を表示する名称表示欄と、日付ごとの日付欄と、前記医薬品が使用された総量を示す総量欄と、日付ごとに前記医薬品が使用された数量を示す明細欄とを有する日計表を表示する日計表表示部と、
前記日計表表示部によって表示された総量欄又は明細欄に対して、前記医薬品の数量の変更した査定を表示させる査定表示部と、
を備えることを特徴とする画面処理システム。
【請求項２】
前記日計表作成部は、前記医薬品の投薬日付情報が含まれない場合に、前記レセプト情報に含まれる医薬品に関連した診療識別コードに基づいて関連する医薬品・診療項目をまとめて一回分の医薬品群が投与されたと判断し、その医薬品に関連した前記診療識別コードに基づき関連する医薬品・診療項目をまとめて一回分の医薬品群が投与されたと表示することを特徴とする請求項１に記載の画面処理システム。
【請求項３】
前記医薬品の投与に疑義があると判断される場合に、前記名称表示欄に疑義付せんを表示する疑義表示部を備えることを特徴とする請求項１に記載の画面処理システム。
【請求項４】
前記査定表示部は、前記総量欄の数量が変更される場合には前記明細欄に示された数量も変更して表示し、前記明細欄の数量が変更された場合には前記総量欄の数量を変更して表示することを特徴とする請求項１に記載の画面処理システム。
【請求項５】
前記総量欄の数量又は明細欄の数量が変更された場合には、前記レセプト情報に含まれる医薬品情報も変更する査定処理部を備えることを特徴とする請求項１に記載の画面処理システム。
【請求項６】
レセプト情報を記憶する記憶部と表示部を有する端末機器とを備える画面処理システムを用いて、前記レセプト情報の審査事務共助又は審査を行うプログラムであって、
前記画面処理システムとしてのコンピュータに、
前記レセプト情報を前記記憶部への受付と、
前記レセプト情報に含まれる医薬品情報に基づいて、使用された医薬品の名を表示する名称表示欄と、日付ごとの日付欄と、前記医薬品が使用された総量を示す総量欄と、日付ごとに前記医薬品が使用された数量を示す明細欄とを有する日計表の表示と、
前記日計表表示部によって表示された総量欄又は明細欄に対して、前記医薬品の数量の変更した査定の表示と、
を実行させるためのプログラム。
【請求項７】
前記医薬品の投薬日付情報が含まれない場合に、前記コンピュータに、前記診療識別コードに基づいて１回分の医薬品群が投与されたと日計表に表示させることを特徴とする請求項７に記載のプログラム。
【請求項８】
前記総量欄の数量又は明細欄の数量が変更された場合には、前記レセプト情報に含まれる医薬品情報も変更し、前記記憶部に記憶することを特徴とする請求項７又は請求項８に記載のプログラム。
【請求項９】
前記総量欄の数量が変更される場合には前記明細欄に示された数量も変更して表示し、前記明細欄の数量が変更された場合には前記明細欄の数量のみを変更して表示することを特徴とする請求項６から請求項８のいずれか一項に記載のプログラム。
【発明の詳細な説明】
【技術分野】
【０００１】
本発明は、レセプト（診療報酬明細書）の画面処理システムおよびそのコンピュータプログラムに関する。また、レセプトの審査事務共助と審査とを効率的に行うための表示の方法に関する。
【背景技術】
【０００２】
患者（被保険者）が医療機関で医療行為を受けた場合、患者が自己負担分の金額を医療機関の会計窓口で支払う。この際、医療機関は月ごとに保険者に対しレセプト（診療報酬明細書）を発行して、自己負担分以外の医療費を請求する。医療機関は直接保険者に医療費を請求するのでなく、所在する都道府県の国民健康保険団体連合会など（以下、審査支払機関という）に請求する。すなわち、医療機関と保険者との間には、レセプトの妥当性を確認するためのレセプトの審査を行う審査支払機関が介在している。そして、審査支払機関はレセプトを受付けた時に審査事務共助担当者によって請求上のルールなどに誤りがないか（審査事務共助）を確認した後、十分な専門的知識を有する医師等の審査委員が医学的な見地等からレセプト内容の審査を行う。審査の終了したレセプトは保険者に請求されるとともに、保険者から医療機関に診療報酬が支払われる。
【０００３】
審査支払機関が電子レセプトをコンピュータで処理する場合、クライアント（パソコン）のモニターにレセプトを表示して、審査事務共助と審査とを行う必要がある。審査支払機関で取り扱うレセプトの件数は膨大であり、また、保険料の遅滞なき正確な支払いのため、モニターを利用した審査・審査事務共助システム（以下、画面処理システムという）では、迅速にレセプトをモニターに表示し、正確に操作ができなければならない。
【０００４】
例えば特許文献１では、この電子レセプトの正当性をコンピュータ処理で自動審査し、この自動審査において電子レセプトに請求上の不備があるときに、マン・マシン・インタフェースを使用して審査委員による目視審査を行って電子レセプトの審査を行う技術を開示している。
【先行技術文献】
【特許文献】
【０００５】
【特許文献１】特開２００５−０５０２４５号公報
【発明の概要】
【発明が解決しようとする課題】
【０００６】
しかしながら、電子レセプトのなかには患者の病状や行われた医療行為によって情報量の多いレセプトが発生する。このため、電子レセプトが医療機関の入力順にモニターに表示すると、情報量が多いレセプトでは画面遷移が多くなるのでその患者の症状がどのように変化したかなどが把握し難くなることから、審査事務共助担当者が審査事務共助し、審査委員が審査する際には、効率的に審査を行うことが困難であった。
【０００７】
さらに、医療機関が請求する電子レセプトには投与日が入力されていない電子レセプトが審査支払機関に送られて来ることがある。そのような投与日が入力されていない場合には、患者に対して１ヶ月間に日付ごとに投与された医薬品の一覧表である日計表を作成することが困難であった。
【０００８】
そこで、本発明の目的は、審査事務共助担当者が審査事務共助を、また審査委員が審査を効率的にするために、操作しやすい画面処理システムを提供することにある。特に情報量の多いレセプトを効率的に集計・整理し、見やすく表示することができるように表示する画面処理システムを提供することにある。
【課題を解決するための手段】
【０００９】
上記課題を解決するために、第１の観点の画面処理システムはレセプト情報に含まれる医薬品情報に基づいて使用された医薬品の名を表示する名称表示欄と、日付ごとの日付欄と、医薬品が使用された総量を示す総量欄と、日付ごとに医薬品が使用された数量を示す明細欄とを有する日計表を表示する日計表表示部と、日計表表示部によって表示された総量欄又は明細欄に対して、医薬品の数量が変更する査定を表示させる査定表示部と、を備える。
この構成により、審査事務共助担当者又は審査委員は、一ヶ月に患者に投与された医薬品の一覧表示である日計表を画面上で一度に観察することができるため、審査事務共助担当者又は審査委員が電子レセプトの医薬品に関する内容を容易に把握することができることから、効率的に審査することができる。
【００１０】
第２の観点の画面処理システムの日計表作成部は、医薬品の投薬日付情報が含まれない場合に、レセプト情報に含まれる医薬品に関連した診療識別コード（「２１」の内服、「２２」の屯服、「２３」の外用、「２４」の調剤、「２６」の麻毒、「２７」の調基、「２８」のその他、「３１」の皮下筋肉内、「３２」の静脈内、「３３」のその他、「５０」の輸血を含む、以下同じ）に基づいて関連する複数の医薬品・診療項目（一つの医薬品しかない場合もある、以下同じ）をまとめて１回分の医薬品群が投与されたと判断し、その医薬品に関連した診療識別コードに基づいて関連する複数の医薬品・診療項目（一つの医薬品しかない場合もある、以下同じ）をまとめて１回分の医薬品群が投与されたと表示する。
レセプト情報に医薬品の投薬日付情報が含まれない場合であっても、医薬品に関連した診療識別コードに基づいて日計表を作成できるようにしているため、電子レセプトを効率的に審査することができる。
【００１１】
第３の観点の画面処理システムは、医薬品の投与に疑義があると判断される場合に、名称表示欄に疑義付せんを表示する疑義表示部を備える。
例えば審査事務共助担当者が患者の疾病に不適切な医薬品が投与されているとの疑義が生じた際に名称表示欄に疑義付せん、例えば名称表示欄を色付けして表示させることができると、専門家である審査委員が電子レセプトを審査する際に他の医薬品と区別できるため審査し易くなる。
【００１２】
第４の観点の画面処理システムの査定表示部は、総量欄の数量が変更される場合には明細欄に示された数量も変更して表示し、明細欄の数量が変更された場合には総量欄の数量を変更して表示する。
審査委員が総量欄の数量を変更すると、査定表示部は明細欄の数量を変更する。また、審査委員が明細欄の数量を変更すると、査定表示部は明細欄の数量のみ又はその品目の数量を複数の日にちにわたって同量の数量（同量査定）に変更して表示することができる。
【００１３】
第５の観点の画面処理システムは、総量欄の数量又は明細欄の数量が変更された場合には、レセプト情報に含まれる医薬品情報も変更する査定処理部を備える。
日計表において医薬品の総量査定などが行われると、査定処理部はレセプト情報の変更も行うことができる。
【００１４】
第６の観点のレセプト情報の審査事務共助又は審査を行うプログラムは、レセプト情報を記憶する記憶部と表示部を有する端末機器とを備える画面処理システムを用いる。そしてそのプログラムは、画面処理システムとしてのコンピュータに、レセプト情報を記憶部への受付と、レセプト情報に含まれる医薬品情報に基づいて、使用された医薬品の名を表示する名称表示欄と、日付ごとの日付欄と、医薬品が使用された総量を示す総量欄と、日付ごとに医薬品が使用された数量を示す明細欄とを有する日計表の表示と、日計表表示部によって表示された総量欄又は明細欄に対して、医薬品の数量の変更した査定の表示と、を実行させる。
このプログラムを画面処理システムのコンピュータに実行させることで、審査事務共助担当者又は審査委員は、一月に患者に投与された医薬品の一覧表である日計表を画面として観察することができる。
【００１５】
第７の観点のプログラムは、医薬品の投薬日付情報が含まれない場合に、コンピュータに医薬品に関連した診療識別コードに基づいて、関連する複数の医薬品・診療項目をまとめて１回分の医薬品群が投与されたと日計表に表示させる。
このプログラムにより、医薬品の投薬日付情報が含まれない場合であっても、日計表を作成・表示させることができる。
【発明の効果】
【００１６】
本発明によれば、医薬品の情報量が多いレセプト情報を日計表としてまとめて画面に表示させ、その日計表を使って効率的に審査事務共助と審査とができるようになる。このことにより、画面遷移することなく医薬品の情報量が多いレセプトを効率的に画面処理システムによって処理でき、審査事務共助と審査とを合わせた業務全体が効率的に行えるようになる。
【図面の簡単な説明】
【００１７】
【図１】審査支払機関ＥＸである国民健康保険団体連合会におけるレセプトの画面処理システムの全体構成を示すブロック図である。
【図２】第２システムサーバ１４の構成を示した概念図である。
【図３】審査事務共助および審査で第１端末機器２０又は第２端末機器２２が使われるかを決定する一例のフローチャートを示す図である。
【図４】第１端末機器２０の第１モニター３１に表示された日計表８０の画面の例である。
【図５】（ａ）は、第２モニター３３に表示された情報集約画面６０の例である。  （ｂ）は、第３モニター３５に表示される日計表８０の例である。
【図６】日計表８０において疑義付せんが貼り付けられることを説明する図である。
【図７】日計表８０において総量査定が行われることを説明する図である。
【図８】日計表８０において数量査定が行われることを説明する図である。
【図９】日計表８０において査定が行われると、一般画面７０でも医薬品の数量が変わることを説明する図である。
【図１０】電子レセプトＥＲに含まれる情報を示した例である。
【図１１】日計表レコードを有する電子レセプトＥＲに基づいて、日計表８０の作り方を説明する一例である。
【図１２】日計表レコードを有さない電子レセプトＥＲに基づいて、日計表８０の作り方を説明する一例である。
【図１３】日計表レコードを有さない電子レセプトＥＲに基づいて、日計表８０の作り方を説明する別例である。
【発明を実施するための形態】
【００１８】
＜画面処理システム１００の構成＞
図１は本発明の一実施形態に係るものであり、国民健康保険団体連合会などの審査支払機関ＥＸにおけるレセプトの画面処理システムの全体構成を示すブロック図である。医療機関ＨＰから未審査の電子レセプトＥＲが審査支払機関ＥＸの画面処理システム１００にオンライン等で送られてくる。そして、審査支払機関ＥＸにより審査を終えた電子レセプトＥＲが保険者ＩＳに送られる。
【００１９】
画面処理システム１００は医療機関ＨＰ又は保険者ＩＳとの電子レセプトＥＲの交換を主に行う第１システムサーバ１２と審査と審査事務共助とを総括する第２システムサーバ１４とを備えている。第２システムサーバ１４はクライアントとしての複数の第１端末機器２０と第２端末機器２２とが相互にアクセス可能になるようにネットワークを介して接続されている。第１端末機器２０および第２端末機器２２は例えばパソコンであり、第１端末機器２０は第１モニター３１を有しており、第２端末機器２２は第２モニター３３および第３モニター３５を有している。なお、個人情報が漏れないように、第１システムサーバ１２、第２システムサーバ１４、第１端末機器２０および第２端末機器２２はアクセス権限が階層的に設定されている。
【００２０】
図２は第２システムサーバ１４の構成を示した概念図である。第２システムサーバ１４は、日計表表示部１５、疑義表示部１６、査定表示部１７、査定処理部１８、一般画面表示部１９およびアスタリスク表示部ＡＳを備えている。
【００２１】
日計表表示部１５は電子レセプトＥＲに含まれる医薬品情報に基づいて、操作画面５０の一つとして日計表８０を表示する。画面処理システム１００は、各電子レセプトＥＲからの医薬品情報を日計表８０として、第１端末機器２０の第１モニター３１に表示させたり第２端末機器２２の第３モニター３５に表示させたりする。なお、第２端末機器２２は特に情報料が多い入院患者の電子レセプトに対して用いられるもので、第２端末機器２２の第２モニター３３に電子レセプトＥＲに関する情報集約画面６０が表示される。
【００２２】
審査事務共助担当者は日計表８０の疑義が生じた項目に対して疑義付せんを付すことができる。疑義表示部１６は審査事務共助担当者が疑義付せんを付すことができる疑義欄８２（図４を参照）に疑義を示すマークを付けたり名称表示欄８３に色付けしたりして他の項目と異なることを示す疑義付せんを表示させることができる。
また、審査委員は表示された日計表８０を見て査定を行うことができる。査定表示部１７は、審査委員が行った査定結果を日計表８０に表示させることができる。
【００２３】
一般画面表示部１９は電子レセプトＥＲに含まれる情報に基づいて、操作画面５０の一つとして一般画面７０を表示する。一般画面表示部１９は医療機関ＨＰが入力した電子レセプトＥＲの情報を、第１端末機器２０の第１モニター３１に表示させたり、第２端末機器２２の第２モニター３３や第３モニター３５に表示させたりする。また、アスタリスク表示部ＡＳは日計表レコードＮＩがなく医療区分コードが付されているレセプト情報に基づいてアスタリスクマーク“＊”ＡＭのデータを生成する。
【００２４】
画面処理システム１００はハードディスクなどの記憶部を備えており、第２システムサーバ１４は、医療機関ＨＰから送られてきた電子レセプトを記憶するレセプト情報ファイル２６と、医薬品等の請求点数を記憶する請求点数マスタファイル２７と、診療行為の算定ルールを記憶する算定ルールマスタファイル２８とに接続されている。なお、図示しないが、第１システムサーバ１２もレセプト情報ファイル２６と請求点数マスタファイル２７とにも接続されている。
【００２５】
＜第１端末機器２０の第１モニター３１又は第２端末機器２２の第２モニター３３および第３モニター３５による表示＞
図３は、審査事務共助および審査で第１端末機器２０又は第２端末機器２２で日計表８０が表示されるまでのフローチャートを示す図である。
【００２６】
図３において、ステップＳ３１では、第２システムサーバ１４が電子レセプトＥＲを読み込む。電子レセプトＥＲには「医療機関情報」、「レセプト情報」、「傷病名情報」、「診療情報」および「症状詳記情報」などが含まれている。
【００２７】
ステップＳ３２では、第２システムサーバ１４が外来患者であるか入院患者であるかを判断する。電子レセプトＥＲの患者情報には「レセプト種別」、「患者氏名」および「性別」などが含まれている。この「レセプト種別」には行政庁である厚生労働省が定めたレセプト種別コードに従った番号で示されている。例えばレセプト種別コード「１１１５」だと、「医科・医療保険単独、家族、入院」であることが特定できるため、入院患者であることが特定できる。入院患者であるとステップＳ３４に進み、外来患者であるとステップＳ３３に進む。
【００２８】
ステップＳ３３では、電子レセプトＥＲに含まれる診療情報を医療機関から請求された順に第１端末機器２０の第１モニター３１に操作画面５０を表示する。一般に外来患者は、電子レセプトＥＲに含まれる診療項目の数および医薬品の数が少ないため、第２システムサーバ１４が第１モニター３１に診療情報を表示する。この診療情報は医療機関の入力した順に表示される。審査事務共助担当者又は審査委員は、第１モニター３１に表示された診療の個々の情報に対して操作することができる。
【００２９】
ステップＳ３４では、第２システムサーバ１４が請求点数と設定点数とを比較し、請求点数が設定点数より大きいかを判断する。項目ごとに計算する出来高払い方式の電子レセプトＥＲの合計点数には「請求点数」、「食事療法」および「負担額」などが含まれている。第２システムサーバ１４はこの請求点数と設定点数とを比較する。
【００３０】
なお、項目ごとに計算する出来高払い方式の電子レセプトＥＲとは異なり、入院患者の病名とその診療行為をもとに厚生労働省が定めた１日当たりの金額からなる包括評価部分（投薬、注射、処置、入院料等）と出来高評価部分（手術、麻酔、リハビリ、指導料等）を組み合わせて計算するＤＰＣ（Diagnosis Procedure Combination）の電子レセプトがある。ＤＰＣの電子レセプトＥＲも同様に第２システムサーバ１４が請求点数と設定点数とを比較する。
【００３１】
この設定点数は、審査事務共助担当者又は審査委員が任意に設定できる。例えば、審査事務共助担当者又は審査委員が設定点数を８万点と設定すると、８万点より少ない請求点数の電子レセプトＥＲはステップＳ３５に進み、８万点以上の請求点数の電子レセプトＥＲはステップＳ３６に進む。
【００３２】
ステップＳ３５では、第１端末機器２０の第１モニター３１に、第２システムサーバ１４が一般画面７０（図９参照）、抜書画面又は日計表８０の画面などの操作画面５０（図４参照）を表示する。審査事務共助担当者又は審査委員は、第１モニター３１に表示された一般画面７０、抜書画面又は日計表８０の画面の個々の情報に対して操作することができる。一般画面７０は医療機関が入力した診療識別コードの番号順に表示させる画面であり、抜書画面は診療識別コードとは関係なく外科系又は内科系の診療科によって診療行為の順序が変わる画面である。日計表８０の画面とは、日付ごとに投与された医薬品を薬効分類順に表示し、さらにこれらの医薬品に関連した診療項目と特定器材も一緒にして表示する画面である。
【００３３】
ステップＳ３６では、２つのモニターで電子レセプトＥＲの内容を表示する。第２システムサーバ１４が第２端末機器２２の第２モニター３３に情報集約画面６０（図５（ａ）参照）を表示し、第２システムサーバ１４が第３モニター３５に、日計表８０の画面又は抜書画面などの操作画面５０（図５（ｂ）参照）を表示する。
【００３４】
ステップＳ３７では、第２システムサーバ１４は手術が行われたか否かを判断する。手術が行われていればステップＳ３９に進み、手術が行われていなければステップＳ３８に進む。
【００３５】
ステップＳ３８では、第２システムサーバ１４が内科系診療科の表示順に従って診療行為を並べ替えて表示させる。日計表表示部１５は医薬品に関連する日計表８０が最初に表示される。
【００３６】
ステップＳ３９では、第２システムサーバ１４が外科系診療科の表示順に従って診療行為を並べ替えて表示させる。手術に関連する情報が最初に表示される。すなわち、手術情報、処置情報の順に表示された後、日計表表示部１５が日計表８０を表示する。
【００３７】
＜第１モニター３１の表示例＞
図４は、第１端末機器２０の第１モニター３１に表示された日計表８０の具体例である。この画面は、図３においてステップＳ３５を介して表示される操作画面５０のうちの日計表８０の画面である。
【００３８】
操作画面５０の画面の上段に、医療機関情報４１が記載される。審査事務共助担当者又は審査委員はどの医療機関ＨＰからの電子レセプトＥＲであるかを理解できる。
日計表８０の画面の左上に、患者欄４２が設定されている。患者欄４２は、患者の生年月日、性別などに加え、一ヶ月に入院又は通院した日数が表示される。
【００３９】
操作画面５０の画面の上段に、傷病名欄４３が設定されている。電子レセプトＥＲに含まれるすべての傷病名が列記されている。２１番目までの傷病名は一覧表示されるが、２２番目以上の傷病名があった場合は、２１番目の傷病名の下に延長して表示される。傷病名の表示順は主傷病名を先頭に表示し、それ以降は発症日の新しい順に並べられる。
操作画面５０の画面の中段に、日計表８０が設定されている。電子レセプトＥＲに含まれるすべての医薬品の投与などが列記されている。
【００４０】
操作画面５０の画面の左側に、初診、再診、外用などの診療行為ごとの請求点数集計欄４５が設定されており、その下に合計請求点数を示す合計欄４６が設定されている。
また、操作画面５０の画面の下段にレセプト印刷などの操作ボタン４７が設定され、下段の右側にページ数を示す欄とページ送りボタン４８が設定されている。
【００４１】
日計表表示部１５は、第１モニター３１の日計表８０として、診療区分欄８１、疑義欄８２、診療項目・医薬品等の名称表示欄８３、総量欄８４、および明細欄８５を設ける。
【００４２】
診療区分欄８１には診療識別コードが表示される。例えば「３３」、「３２」、「３１」、「２１」、「５０」などが表示される。３３、３２などの数字は、「３３：点滴注射」、「３２：静脈内注射」、「３１：皮下、筋肉内注射」、「２１：内服」、「５０：輸血（輸血料（Ｋ９２０）、医薬品、診療行為（検査）、特定器材）」などを意味する。
【００４３】
疑義欄８２には、事務点検エラー又は疑義がある場合、この欄にそれぞれに関連するマークが表示される。審査事務共助担当者又は審査委員がマウスなどでカーソルＣＳを動かし疑義欄８２を選択することにより、事務点検、算定ルールマスタファイル２８の点検内容又は疑義内容が表示される。
【００４４】
名称表示欄８３には、電子レセプトＥＲに含まれていた医薬品、および医薬品に関連した診療項目と特定器材などが表示される。
総量欄８４には、一月間に投与された各医薬品の総量が表示される。
明細欄８５は、一月間の最大限の日数である３１日分に区分けされ、また医薬品ごとに区分されたセルが形成されている。このセルには一日に投与された医薬品の数量が表示される。
【００４５】
＜第２モニター３３、第２モニター３５の表示例＞
図５（ａ）および（ｂ）は、図３のフローチャートのステップＳ３６において、第２端末機器２２の第２モニター３３および第３モニター３５に表示される項目を示した図である。
【００４６】
第２モニター３３には情報集約画面６０が表示され、第３モニター３５には操作画面５０が表示される。
情報集約画面６０は、患者情報、請求合計情報、傷病名情報、症状詳記情報およびその患者の電子レセプトの特徴を表示する。電子レセプトの特徴としては、主要な診療行為、診療区分に分けた請求点数の円グラフおよび診療区分別疑義付せん等である。
操作画面５０は、医療機関からの手術や処置、検査等に関する内容を表示する抜書き画面と日付ごとに投与された医薬品を薬効分類順に表示する日計表とを表示する。
【００４７】
図５（ａ）は、第２モニター３３に表示された情報集約画面６０の具体例であり、（ｂ）は第３モニター３５に表示される操作画面５０としての日計表８０の具体例である。
【００４８】
図５（ａ）に示すように、情報集約画面６０の上段には医療機関情報が記載される。
情報集約画面６０の画面の左上に、患者欄６２が設定されている。患者欄６２は、患者の生年月日、性別などに加え、一ヶ月に入院又は通院した日数が表示される。
【００４９】
情報集約画面６０の画面の上段に、傷病名欄６３が設定されている。傷病名の数が４５表示される点を除けば図４に示した日計表８０の画面の傷病名欄４３と同じである。
情報集約画面６０の画面の中段左に、症状詳記欄６４が設定されている。症状詳記欄６４には電子レセプトＥＲに含まれる症状詳記が表示される。なお、一画面で表示できない場合はスクロール表示される。
【００５０】
情報集約画面６０の画面の中段右に、主要な診療行為欄６５が設定されている。主要な診療行為欄６５は、電子レセプトＥＲに手術、処置、特定入院料の各診療項目が９以上あるときには、手術、処置、特定入院料の順にこれらの診療項目を９つ表示し、電子レセプトＥＲに９以下の診療行為が含まれるときにはすべての診療項目を上記順に表示する。
また算定ルール・疑義欄６６が設定されており、算定ルール・疑義欄６６には、事務点検によるエラー件数、算定ルールマスタファイル点検による算定ルールエラー件数、審査事務共助担当者が付した疑義付せんの件数がそれぞれ診療行為ごとに表示される。
【００５１】
さらに、情報集約画面６０の画面の中段に電子レセプトＥＲの請求点数欄６７が設定されており、請求点数欄６７は合計の請求点数を診療行為ごとの点数に応じた円グラフで表示する。
情報集約画面６０の画面の下段に標榜科情報欄６８が設定されている。この標榜科情報欄６８には、医療機関ＨＰが入力した標榜科と、審査事務共助担当者もしくは審査委員が選択した標榜科コードが表示される。
【００５２】
図５（ｂ）に示す第３モニター３５に表示される操作画面５０は表示項目欄８７が設定されている。表示項目欄８７は、現在表示している画面が、「手術」、「日計表」、「処置」、「検査」、「画像診断」、「施設基準」のいずれかであるかを示す。これにより、現在の表示されている画面を識別できる。
【００５３】
第３モニター３５に表示される操作画面５０の日計表８０は、図４に示した日計表８０の画面と似ている。日計表表示部１５は、第３モニター３５の日計表８０として、さらに疑義事項欄８８を設定している。疑義事項欄８８は審査事務共助担当者が付した疑義付せんの理由が表示される。
【００５４】
このように情報集約画面６０は電子レセプトＥＲの情報を集約しているため、電子レセプトＥＲの内容の把握が容易になり、また日計表８０に投与された医薬品が一ヶ月間にわたって一覧表として表示されるため、この一覧表に基づいて審査事務共助又は審査を効率的に行うことができる。
【００５５】
＜疑義付せんの貼り付け＞
図６は、第３モニター３５に表示される日計表８０の一部を拡大した図であり、疑義付せんを貼り付ける際の図である。
図６（ａ）に示すように、審査事務共助担当者が日計表８０の疑義が生じた医薬品に対して、その医薬品の疑義欄８２Ａを画面上に表示されたカーソルＣＳでクリックすると、疑義表示部１６は、図６（ｂ）に示すような疑義表示入力画面９１を表示させる。疑義表示入力画面９１には疑義の理由として複数の候補が示されており、審査事務共助担当者が適切な理由をカーソルＣＳでクリックし、確定ボタンをクリックする。
【００５６】
疑義表示入力画面９１の確定ボタンがクリックされると、疑義表示部１６は、図６（ｃ）に示すように、疑義欄８２Ａに疑義マーク“？”を付すことができるとともに、その医薬品の行９２の名称表示欄８３、総量欄８４および明細欄８５を、他の医薬品の行と区別するため、色付けすることができる。また、疑義事項欄８８には疑義表示入力画面９１で選択した理由が記載される。これらの表示を総称して疑義付せんが付されたという。例えば一日に投与する量が制限されている医薬品に対して数量が多い場合には、審査事務共助担当者が日計表８０に疑義付せんを付けることができる。
【００５７】
＜日計表における査定＞
図７は、第１モニター３１に表示される日計表８０の例の一部を拡大した図であり、総量査定を行う図である。
審査委員が日計表８０に表示されたある医薬品に対して、患者の傷病名などから不適切な医薬品と判断しその医薬品を削除する査定を行う場合に、図７（ａ）に示すように、審査委員がその医薬品の総量欄８４ＡをカーソルＣＳでクリックすると、査定表示部１７は、図７（ｂ）に示すような日計表総量査定画面９４を表示させる。日計表総量査定画面９４は、カーソルＣＳで選択した医薬品であることを確認させるため、医薬品の名称、数量などを表示している。また、削除ボタンおよび削除する理由区分「Ａ」、「Ｂ」、「Ｃ」、「Ｄ」ボタンなどが表示されている。審査委員は適切な理由区分のボタンをカーソルＣＳでクリックし、そして削除ボタンをクリックすることで、総量査定を行うことができる。
【００５８】
総量査定が行われると、査定表示部１７は、図７（ｃ）に示すように、その医薬品の行の名称表示欄８３、総量欄８４および明細欄８５を取消線で消す表示を行い、他の医薬品の行と区別する。例えば患者の傷病名などから判断して、適切でない医薬品が使われていた場合には、審査委員が日計表８０に表示された医薬品をすべて削除する査定を行うことができる。査定処理部１８は、日計表８０で査定が行われると査定データＲＤ２（図１０）として総量査定処理を記憶する。
【００５９】
図８は、第１モニター３１に表示される日計表８０の例の一部を拡大した図であり、１つのセル中の数量査定を行う図である。
審査委員が日計表８０に表示されたある医薬品に対して、一日に投与する医薬品が多いと判断した場合、審査委員はその医薬品の数量を変更する査定を行う。図８（ａ）に示すように、審査委員がその医薬品の明細欄８５の一つのセル８５ＡをカーソルＣＳでクリックする。図８（ａ）では、医薬品目「ＡＢＣ注射液  ５００ｍＬ」の５日目のセルに示されている「１４」を変更する。すると、査定表示部１７は、図８（ｂ）に示すような日計表数量査定画面９６を表示させる。日計表数量査定画面９６は、書き換える数量を入力するコラムを表示している。図８（ｂ）の例では、数量が「２」と入力されている。また、書き換える理由を示す理由区分「Ａ」、「Ｂ」、「Ｃ」、「Ｄ」ボタンなどが表示されている。審査委員は適切な理由区分のボタンをカーソルＣＳでクリックし、そして査定ボタンをクリックすることで、数量査定を行うことができる。図示しないが、一連の医薬品の回数が多い場合にその回数を削減する査定を行うことも可能である。
【００６０】
数量査定が行われると、査定表示部１７は、図８（ｃ）に示すように、カーソルＣＳでクリックした明細欄８５のセルの数字が変更される。つまり「１４」の文字に取消線が付けられて古い数量が削除され、「２」と新しい数量が表示される。また、総量欄８４もセルの数量が変更されたため同時に変更される。例えば医薬品の数量が多く投与されたと判断された場合には、審査委員が日計表８０に表示された医薬品の数量を変更する査定を行うことができる。査定処理部１８は、日計表８０で数量査定が行われると査定データＲＤ２（図１０）として査定処理を記憶する。さらに、日計表８０で同量査定を行うことができる。この同量査定とは、その医薬品目の数量を複数の日にちにわたって同量の数量に査定することである。例えば、図８（ａ）では、医薬品目「ＧＨＩ生理食塩水  ２０ｍＬ」が１日目から４日目に数量「２」が示され、５日目に数量「１」が示されている。これを審査委員が１日目から４日目も数量「１」に一括して変更することが可能である。
【００６１】
＜日計表における査定によって変更される一般画面＞
図９は、日計表８０において査定が行われると、一般画面７０でも医薬品の数量が変わることを説明する図である。
図９の左図は、第２モニター３５に表示される日計表８０の例の一部を拡大した図であり、右図は一般画面７０の一部を拡大した図である。一般画面７０は、抽出表示欄７１、アスタリスク欄７２、名称表示欄７３、数量欄７４および点数・回数欄７５を有している。
【００６２】
審査委員が日計表８０に表示されたある医薬品に対して図７で示した総量査定を行い、日計表８０の表示から一般画面７０の表示に切り替えると、一般画面７０の表示にもその査定が反映される。総量査定で医薬品「ＢＢＢ静脈注射用  １．５ｇ」が１日目から４日目まですべて削除する査定が行われると、一般画面７０の名称表示欄７３の「ＢＢＢ静脈注射用  １．５ｇ」、数量欄７４の「４瓶」も４日分すべてが取り消される。つまり、矢印ＡＲで示すように、総量査定で削除された医薬品は、日付ごとに対応して取り消されている。これに伴い請求点数が減少するので、点数・回数欄７５で表示されていた請求点数も書き換えられる。一般画面７０で審査委員が査定をする際には、医薬品を一つ一つ査定しなければならないが、日計表では一度に医薬品の削除などの査定を行うことができる。なお、図示しないが図８で示した数量査定が行われても一般画面７０の数量欄７４の数量査定が行われる。また、一般画面７０の数量欄７４が数量査定されても日計表８０に反映されて同じ数量査定が行われる。
【００６３】
＜電子レセプトに含まれる情報＞
図１０は、電子レセプトＥＲに含まれる情報を示した例である。
電子レセプトＥＲには、医療機関ＨＰが入力した請求データＲＤ１を含んでおり、また審査支払機関ＥＸが審査を行った結果が入力されている審査データＲＤ２を含んでいる。
【００６４】
請求データＲＤ１は、医療機関情報レコードＩＲ、レセプト共通レコードＲＥ、傷病名レコードＳＹなどを含んでいる。また、請求データＲＤ１は、診療情報として診療関連レコードＳＫ、診療行為レコードＳＩ、医薬品レコードＩＹ、特定器材レコードＴＯ、コメントレコードＣＯおよび日計表レコードＮＩなどを含んでいる。診療関連レコードＳＫは、区分番号又は診療識別コードを有している。
【００６５】
＜日計表の作り方＞
図１１、図１２および図１３は、日計表８０の作り方を説明する図である。
電子レセプトＥＲには、図１０で示したように、医療機関ＨＰが入力した医薬品レコードＩＹと日計表レコードＮＩとが含まれている。しかしながら、例えば請求点数が少ない電子レセプトＥＲに関しては、医療機関ＨＰは日計表レコードＮＩ（医薬品が投与された日付情報を示している、以下同じ）を入力する必要がないことから、日計表レコードＮＩが入力されていない電子レセプトＥＲが存在する。図１１は日計表レコードＮＩに入力がある電子レセプトＥＲに基づいて日計表８０を作成する場合を示しており、図１２および図１３は日計表レコードＮＩに入力がない電子レセプトＥＲに基づいて日計表８０を作成する場合を示している。
【００６６】
図１１（ａ）は、医療機関ＨＰが入力した請求データＲＤ１の医薬品レコードＩＹと日計表レコードＮＩとを示している。「ＩＹ」は医薬品レコードを示し、「３３」はその他の注射を示す診療識別コード意味し、「６１０１０１２３４」は医薬品名ＡＢＣ注射液４号である医薬品コードを示し、「２」は数量を示し、瓶を示す単位コードとして例えば「１１５」を用いている。また、「ＮＩ」は１から３１の数字がそれぞれ１日から３１日の日にちを表す日計表レコードを示している。
【００６７】
図１１（ｂ）は、このような請求データＲＤ１を医療機関ＨＰが入力した順に記載した一般画面７０の一部である。請求データＲＤ１に日計表レコードＮＩが入力されているため、医薬品が投与された日付がわかる。図９で説明したように一般画面７０は、抽出表示欄７１、アスタリスク欄７２、名称表示欄７３、数量欄７４、点数・回数欄７５を有している。
【００６８】
日計表レコードＮＩが入力された請求データＲＤ１は、日計表表示部１５により日計表８０が作成される。図１１（ｃ）は、図４で示した日計表８０の一部拡大図である。図１１（ｃ）において、日計表表示部１５は、例えば名称表示欄８３に医薬品名がＡＢＣ注射液４号と表し、総量欄８４に一月間のＡＢＣ注射液４号の投与が５管であったと表示し、明細欄８５の各セルに１日目に２管投与され、２日目に１管投与され、３日目には何も投与されず、４日目に２管投与されたことを表示している。図１１（ｂ）に示したように医薬品の投薬日付がわかっているため、日計表表示部１５はその投薬日付で図１１（ｃ）の明細欄８５を作成することができる。
【００６９】
図１２（ａ）では、医療機関ＨＰが入力した請求データＲＤ１は医薬品レコードＩＹのみを含み日計表レコードＮＩは含まれていない。このような請求データＲＤ１であっても、
関連する複数の医薬品・診療項目をまとめて１回分の医薬品群が投与された場合には診療関連レコードＳＫの中に含まれている診療識別コードが先頭の医薬品名の項目の前に入力されていることから、まとめて投与された１回分の医薬品群であることがわかる。
【００７０】
図１２（ｂ）は、日計表レコードＮＩが入力されていない請求データＲＤ１を医療機関ＨＰが入力した順に記載した一般画面７０の一部である。日計表レコードＮＩがないために投薬日付が存在していないが、日計表表示部１５は、医薬品に関連した診療識別コードに基づいて１回分の医薬品群の投与が判断できる。
【００７１】
日計表表示部１５は、日計表レコードＮＩが入力されていない請求データＲＤ１に基づいて日計表８０を作成する。図１２（ｃ）は、図４で示した日計表８０の一部拡大図である。医薬品に関連した診療識別コードに基づいて、日計表表示部１５は、その月の何日であるかはわからないが何回目かに医薬品が投与されたかが判断できている。そこで、例えばＡＢＣ注射液４号が、明細欄８５に１回目が２管投与され、２回目に１管投与され、３回目に２管投与されたと表示することができる。
【００７２】
図１３（ａ）では、日計表レコードＮＩが入力されていない請求データＲＤ１を医療機関ＨＰが入力した順に記載した例である。２段目の診療識別コード「３３」には、「ＡＢＣ注射液４号、１瓶」、「ＤＥＦ注射液  ５パーセント５００ｍＬ  １瓶」、「ＧＨＩ注射液  ５，０００単位５ｍＬ  ４管」および「ＪＫＬ生理食塩水注射液  ５０ｍＬ  １瓶」であり「点数１２１」であることが示されている。そして図１２（ｂ）では「×１」であるが、図１３（ａ）「×３」と示されていることから、３回分投与されたことを示している。
【００７３】
そこで、日計表表示部１５は、その月の何日であるかはわからないが３回にわたって医薬品が投与されたと判断するので、図１３（ｂ）に示すように、例えば「ＡＢＣ注射液４号、１瓶」、「ＤＥＦ注射液  ５パーセント５００ｍＬ  １瓶」、「ＧＨＩ注射液  ５，０００単位５ｍＬ  ４管」および「ＪＫＬ生理食塩水注射液  ５０ｍＬ  １瓶」を１セットとして、このセットが２回目から４回目にわたって投与されたと表示することができる。
【００７４】
以上の処理（例えば上記実施形態では図３に示したフローチャート）および表示をプログラムとして記憶媒体に記憶させ、この記憶媒体に記憶されているプログラムをコンピュータにより読み出させる（インストールさせる）ことで、このコンピュータに処理および表示を行わせることができる。
【符号の説明】
【００７５】
ＣＳ  …  カーソル
ＥＲ  …  電子レセプト
ＥＸ  …  審査支払機関
ＨＰ  …  医療機関
ＩＳ  …  保険者
１２  …  第１システムサーバ、１４  …  第２システムサーバ
１５  …  日計表表示部
１６  …  疑義表示部
１７  …  査定表示部
１８  …  査定処理部
２０  …  第１端末機器
２２  …  第２端末機器
２６  …  レセプト情報ファイル
２７  …  請求点数マスタファイル
２８  …  算定ルールマスタファイル
３１  …  第１モニター、３３  …  第２モニター、３５  …  第３モニター
４２  …  患者欄
４３  …  傷病名欄
４６  …  合計欄
４７  …  操作ボタン
４８  …  ページ送りボタン
５０  …  操作画面
６０  …  情報集約画面
７０  …  一般画面
８０  …  日計表
８１  …  診療区分欄
８２  …  算定ルール・疑義欄
８３  …  診療行為・医薬品等の名称表示欄
８４  …  総量欄
８５  …  明細欄
１００  …  画面処理システム
【図１】
2011059983.tif 000003
【図２】
2011059983.tif 000004
【図３】
2011059983.tif 000005
【図４】
2011059983.tif 000006
【図５】
2011059983.tif 000007
【図６】
2011059983.tif 000008
【図７】
2011059983.tif 000009
【図８】
2011059983.tif 000010
【図９】
2011059983.tif 000011
【図１０】
2011059983.tif 000012
【図１１】
2011059983.tif 000013
【図１２】
2011059983.tif 000014
【図１３】
2011059983.tif 000015
【手続補正書】
【提出日】平成22年6月9日(2010.6.9)
【手続補正１】
【補正対象書類名】特許請求の範囲
【補正対象項目名】請求項１
【補正方法】変更
【補正の内容】
【請求項１】
一月分のレセプト情報の審査を行う画面処理システムであって、
前記レセプト情報に含まれる医薬品情報に基づいて、使用された医薬品の名を表示する名称表示欄と、日付ごとの日付欄と、前記医薬品が使用された総量を示す総量欄と、日付ごとに前記医薬品が使用された数量を示す明細欄とを有する日計表を表示する日計表表示部と、
前記日計表表示部によって表示された総量欄又は明細欄に対して、前記医薬品の数量の変更した査定を表示させる査定表示部と、を備え、
前記日計表表示部は、前記医薬品の投薬日付情報が含まれない場合に、前記レセプト情報に含まれる医薬品に関連した診療識別コードに基づいて関連する医薬品・診療項目をまとめて一回分の医薬品群が投与されたと判断し、その医薬品に関連した前記診療識別コードに基づき関連する医薬品・診療項目をまとめて一回分の医薬品群が投与されたと表示することを特徴とする画面処理システム。
【手続補正２】
【補正対象書類名】特許請求の範囲
【補正対象項目名】請求項２
【補正方法】変更
【補正の内容】
【請求項２】
第１表示画面のみを有する第１端末機器と、
第２表示画面および第３表示画面を有する第２端末機器と、
前記レセプト情報に含まれる診療情報に基づいて、レセプト情報を前記第１端末機器で表示するか前記第２端末機器で表示するかを決定する端末機器決定部と、
前記レセプト情報を集約し、集約した情報を表示させる集約情報表示部と、を備え、
前記端末機器決定部が前記第２端末機器で表示することを決定した際には、前記集約情報表示部が前記第２表示画面に集約した情報を表示し、前記日計表表示部又は前期査定表示部が前記操作情報を前記第３表示画面に表示することを特徴とする請求項１に記載の画面処理システム。
【手続補正３】
【補正対象書類名】特許請求の範囲
【補正対象項目名】請求項６
【補正方法】変更
【補正の内容】
【請求項６】
レセプト情報を記憶する記憶部と表示部を有する端末機器とを備える画面処理システムを用いて、前記レセプト情報の審査事務共助又は審査を行うプログラムであって、
前記画面処理システムとしてのコンピュータに、
前記レセプト情報を前記記憶部への受付と、
前記レセプト情報に含まれる医薬品情報に基づいて、使用された医薬品の名を表示する名称表示欄と、日付ごとの日付欄と、前記医薬品が使用された総量を示す総量欄と、日付ごとに前記医薬品が使用された数量を示す明細欄とを有する日計表の表示と、
前記日計表表示部によって表示された総量欄又は明細欄に対して、前記医薬品の数量の変更した査定の表示と、を実行させ、
前記医薬品の投薬日付情報が含まれない場合に、前記コンピュータに、前記診療識別コードに基づいて１回分の医薬品群が投与されたと日計表に表示させるプログラム。
【手続補正４】
【補正対象書類名】特許請求の範囲
【補正対象項目名】請求項７
【補正方法】変更
【補正の内容】
【請求項７】
前記レセプト情報に含まれる診療情報に基づいて、レセプト情報を第１表示画面のみを有する第１端末機器で表示するか第２表示画面および第３表示画面を有する第２端末機器で表示するかの決定と、
前記レセプト情報を集約し、集約した情報の表示と、を実施させ、
前記第２端末機器で表示することを決定した際には、前記第２表示画面に集約した情報を表示し、前記日計表又は前記査定の操作情報を前記第３表示画面に表示する請求項６に記載のプログラム。
【手続補正５】
【補正対象書類名】特許請求の範囲
【補正対象項目名】請求項８
【補正方法】変更
【補正の内容】
【請求項８】
前記総量欄の数量又は明細欄の数量が変更された場合には、前記レセプト情報に含まれる医薬品情報も変更し、前記記憶部に記憶することを特徴とする請求項６又は請求項７に記載のプログラム。
【手続補正書】
【提出日】平成22年8月27日(2010.8.27)
【手続補正１】
【補正対象書類名】特許請求の範囲
【補正対象項目名】請求項１
【補正方法】変更
【補正の内容】
【請求項１】
一月分のレセプト情報の審査を行う画面処理システムであって、
前記レセプト情報に含まれる医薬品情報に基づいて、使用された医薬品の名を表示する名称表示欄と、日付ごとの日付欄と、前記医薬品が使用された総量を示す総量欄と、日付ごとに前記医薬品が使用された数量を示す明細欄とを有する日計表を表示する日計表表示部と、
前記日計表表示部によって表示された総量欄又は明細欄に対して、前記医薬品の数量を変更する査定画面を表示させる査定表示部と、を備え、
前記日計表表示部は、前記医薬品の投薬日付情報が含まれない場合に、前記レセプト情報に含まれる医薬品に関連した診療識別コードに基づいて関連する医薬品・診療項目をまとめて一回分の医薬品群が投与されたと判断し、その医薬品に関連した前記診療識別コードに基づき関連する医薬品・診療項目をまとめて一回分の医薬品群が投与されたと表示することを特徴とする画面処理システム。
【手続補正２】
【補正対象書類名】特許請求の範囲
【補正対象項目名】請求項２
【補正方法】変更
【補正の内容】
【請求項２】
第１表示画面のみを有する第１端末機器と、
第２表示画面および第３表示画面を有する第２端末機器と、
前記レセプト情報に含まれる請求点数に基づいて、レセプト情報を前記第１端末機器で表示するか前記第２端末機器で表示するかを決定する端末機器決定部と、
前記レセプト情報を集約し、集約した情報を表示させる集約情報表示部と、を備え、
前記端末機器決定部が前記第２端末機器で表示することを決定した際には、前記集約情報表示部が前記第２表示画面に集約した情報を表示し、前記日計表表示部又は前期査定表示部が前記操作情報を前記第３表示画面に表示することを特徴とする請求項１に記載の画面処理システム。
【手続補正３】
【補正対象書類名】特許請求の範囲
【補正対象項目名】請求項６
【補正方法】変更
【補正の内容】
【請求項６】
レセプト情報を記憶する記憶部と表示部を有する端末機器とを備える画面処理システムを用いて、前記レセプト情報の審査事務共助又は審査を行うプログラムであって、
前記画面処理システムとしてのコンピュータに、
前記レセプト情報を前記記憶部への受付と、
前記レセプト情報に含まれる医薬品情報に基づいて、使用された医薬品の名を表示する名称表示欄と、日付ごとの日付欄と、前記医薬品が使用された総量を示す総量欄と、日付ごとに前記医薬品が使用された数量を示す明細欄とを有する日計表の表示と、
前記日計表表示部によって表示された総量欄又は明細欄に対して、前記医薬品の数量を変更する査定画面の表示と、を実行させ、
前記医薬品の投薬日付情報が含まれない場合に、前記コンピュータに、前記診療識別コードに基づいて１回分の医薬品群が投与されたと日計表に表示させるプログラム。
【手続補正４】
【補正対象書類名】特許請求の範囲
【補正対象項目名】請求項７
【補正方法】変更
【補正の内容】
【請求項７】
前記レセプト情報に含まれる請求点数に基づいて、レセプト情報を第１表示画面のみを有する第１端末機器で表示するか第２表示画面および第３表示画面を有する第２端末機器で表示するかの決定と、
前記レセプト情報を集約し、集約した情報の表示と、を実施させ、
前記第２端末機器で表示することを決定した際には、前記第２表示画面に集約した情報を表示し、前記日計表又は前記査定の操作情報を前記第３表示画面に表示する請求項６に記載のプログラム。